Podtech/llm-jp-corpus-v4-ja_patent huggingface dataset:
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
画像に付加するコード情報を入力するコード情報入力手段と、
印刷装置による前記コード情報の印字精度を示す印字精度情報を入力する印字精度情報入力手段と、
前記コード情報と前記印字精度情報から該コード情報が前記印刷装置によって印刷された場合の画像品位を判定する画像品位判定手段とを備えることを特徴とする画像処理装置。
【請求項２】
さらに、前記コード情報に耐性情報を付加する付加手段を備え、
前記付加手段は、前記画像品位の判定結果に基づいて、前記耐性情報の情報量を調整することを特徴とする請求項１に記載の画像処理装置。
【請求項３】
さらに、画像品位を指定する指定手段を備え、
前記指定手段によって指定された画像品位と前記画像品位判定手段によって判定された画像品位が一致しない場合に、前記耐性情報の情報量を調整することを特徴とする請求項２に記載の画像処理装置。
【請求項４】
前記付加手段は耐性情報として、エラー訂正符号と冗長度の少なくとも一方を付加することを特徴とする請求項２に記載の画像処理装置。
【請求項５】
さらに、前記コード情報の情報量と該コード情報を付加する該画像の領域のサイズとに基づいて該領域を分割する分割手段を備え、前記画像品位判定手段は前記分割された領域と前記印字精度情報から、画像品位を判定することを特徴とする請求項１に記載の画像処理装置。
【請求項６】
前記分割手段は、前記領域のサイズを前記コード情報の情報量で除算することにより、分割された領域のサイズを決定することを特徴とする請求項５に記載の画像処理装置。
【請求項７】
前記画像品位判定手段は、前記分割された前記領域に含まれるドットのサイズの割合を算出することで画像品位を判定することを特徴とする請求項６に記載の画像処理装置。
【請求項８】
さらに前記コード情報を出力する出力手段を備えることを特徴とする請求項１に記載の画像処理装置。
【請求項９】
前記出力手段は、前記画像品位判定手段による判定結果が、予め定められている画像品位を満たす場合に前記コード情報を出力することを特徴とする請求項８に記載の画像処理装置。
【請求項１０】
前記印字精度情報は、前記印刷装置で印字精度を満たす最小ドットのサイズを表すことを特徴とする請求項１に記載の画像処理装置。
【請求項１１】
さらに、画像品位を計測するための画像を出力する出力手段と、
前記画像を入力する入力手段と、
前記入力手段から入力された画像から印字精度を判定する印字精度判定手段と、
前記印字精度判定手段によって判定された判定結果から印字精度情報を生成する生成手段を備えることを特徴とする請求項１に記載の画像処理装置。
【請求項１２】
画像に付加するコード情報を入力する入力工程と、
前記コード情報を印字する印刷装置の印字精度を示す印字精度情報を入力する入力工程と、
前記コード情報と前記印字精度情報から該コード情報が前記印刷装置によって印刷された場合の画像品位を判定する画像品位判定工程とを備えることを特徴とする画像処理装置の画像処理方法。
【請求項１３】
請求項１２に記載の画像処理方法をコンピュータが読み込み実行することで、前記コンピュータを、画像処理装置として機能させるコンピュータプログラム。
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
電子機器装置において、前記電子機器の機能を操作するための第１のリモートコントロール装置及び第２のリモートコントロール装置を備え、
所定の機能を操作するため押下する第１のリモートコントロール装置のボタンの表示内容と第２のリモートコントロール装置のボタンの表示内容とが異なることを特徴とする電子機器装置。
【請求項２】
請求項１記載の電子機器装置において、
前記第１のリモートコントロール装置は複数の機能を操作するための複数のボタンを備えた標準リモートコントロール装置であり、
前記第２のリモートコントロール装置は前記第１のリモートコントロール装置で操作可能な機能の内の一部分の機能を操作するためのリモートコントロール装置であり、前記第１のリモートコントロール装置のボタン数より少ない複数のボタンを備えた簡単リモートコントロール装置であることを特徴とする電子機器装置。
【請求項３】
請求項１乃至２のいずれか一つに記載の電子機器装置であって、
前記所定の機能とは番組表表示機能、記録番組一覧表示機能、番組消去機能の内１つ以上であることを特徴とする電子機器装置。
【請求項４】
請求項１乃至３のいずれか一つに記載の電子機器装置において、
前記第1のリモートコントロール装置のボタンの表示内容と、前記第２のリモートコントロール装置のボタンの表示内容とが相違していても、それぞれのボタンを押下したときに電子機器装置へ送信するリモコンコードが同じものであることを特徴とする電子機器装置。
【請求項５】
請求項１乃至３のいずれか一つに記載の電子機器装置において、
前記第２のリモートコントロール装置上での前記所定の機能を操作するためのボタンの配置と、前記第１のリモートコントロール装置上での該所定の機能を操作するためのボタンの配置位置とが共通していることを特徴とする電子機器装置。
【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
リモコン装置を有する画像表示装置であって、
前記リモコン装置は、前記画像表示装置の遠隔制御を行なう制御指示手段と、前記画像表示装置の表示画面を検出する検出手段と、前記制御指示手段の制御指示情報、及び前記検出手段の検出情報を送信する送信手段と、を備え、
前記画像表示装置は、前記リモコン装置によって送信される制御指示情報、及び検出情報を受信する受信手段と、前記受信した検出情報と、前記画像表示装置が保持する目標画像情報と、に基づき、画像の色と明るさの補正を行なう補正手段と、を備え、
前記検出手段は、前記画像表示装置の表示画面を検出するタイミングが前記制御指示情報毎に設定されていることを特徴とする画像表示装置。
【請求項２】
前記検出手段は、前記検出情報から、反射光を含む前記画像表示装置の表示画面全体、又は一部の領域を識別し、識別した領域を切り出すことを特徴とする請求項１に記載の画像表示装置。
【請求項３】
前記補正手段は、前記検出情報から、反射光を含む前記画像表示装置の表示画面全体、又は一部の領域を識別し、識別した領域を切り出すことを特徴とする請求項１に記載の画像表示装置。
【請求項４】
リモコン装置を有する画像表示装置の制御方法であって、
前記リモコン装置は、前記画像表示装置の遠隔制御を行なう制御指示ステップと、前記画像表示装置の表示画面を検出する検出ステップと、前記制御指示ステップの制御指示情報、及び前記検出ステップの検出情報を送信する送信ステップと、を有し、
前記画像表示装置は、前記リモコン装置によって送信される制御指示情報、及び検出情報を受信する受信ステップと、前記受信した検出情報と、前記画像表示装置が保持する目標画像情報と、に基づき、画像の色と明るさの補正を行なう補正ステップと、を有し、
前記検出ステップでは、前記画像表示装置の表示画面を検出するタイミングが前記制御指示情報毎に設定されていることを特徴とする制御方法。
【請求項５】
リモコン装置を有する画像表示装置を制御するためのプログラムであって、
前記リモコン装置のコンピュータを、前記画像表示装置の遠隔制御を行なう制御指示手段と、前記画像表示装置の表示画面を検出する検出手段と、前記制御指示手段の制御指示情報、及び前記検出手段の検出情報を送信する送信手段として機能させ、
前記画像表示装置のコンピュータを、前記リモコン装置によって送信される制御指示情報、及び検出情報を受信する受信手段と、前記受信した検出情報と、前記画像表示装置が保持する目標画像情報と、に基づき、画像の色と明るさの補正を行なう補正手段として機能させるためのプログラムであって、
前記検出手段は、前記画像表示装置の表示画面を検出するタイミングが前記制御指示情報毎に設定されていることを特徴とするプログラム。
【手続補正２】
【補正対象書類名】明細書
【補正対象項目名】発明の名称
【補正方法】変更
【補正の内容】
【発明の名称】画像表示装置、その制御方法およびプログラム
【手続補正３】
【補正対象書類名】明細書
【補正対象項目名】０００１
【補正方法】変更
【補正の内容】
【０００１】
本発明は、環境光の影響を考慮して画像を補正するための画像表示装置、その制御方法およびプログラムに関する。
【手続補正書】
【提出日】平成21年4月6日(2009.4.6)
【手続補正１】
【補正対象書類名】特許請求の範囲
【補正対象項目名】請求項８
【補正方法】変更
【補正の内容】
【請求項８】
前記情報データの振幅に相当する情報振幅と、前記判定値との比は、正規受信者の許容できる信号対雑音比よりも大きい、請求項６に記載のデータ送信装置。
【手続補正２】
【補正対象書類名】明細書
【補正対象項目名】００１２
【補正方法】変更
【補正の内容】
【００１２】
しかし、復調部９２１で光電変換する際に、ショット雑音が発生し、多値信号８１に重畳される。このショット雑音は、量子力学の原理により必ず発生することが知られている。ここで、多値信号の信号レベルの間隔（以下、ステップ幅と称する）をショット雑音のレベルよりも十分に小さくしておけば、識別誤りによって受信した多値信号８１が正しい信号レベル以外の様々な多値レベルを取る可能性が無視できなくなる。よって盗聴者は、正しい信号レベルが、識別によって得られた信号レベル以外の値である可能性を考慮して解読処理を行う必要があるため、識別誤りが無い場合（第１の多値符号発生部９１１に用いられているものと同じ乱数発生器を使用したストリーム暗号）と比較して解読処理に要する試行回数、すなわち計算量が増大し、結果として盗聴に対する安全性が向上する。
【手続補正３】
【補正対象書類名】明細書
【補正対象項目名】００２２
【補正方法】変更
【補正の内容】
【００２２】
好ましくは、情報データの振幅に相当する情報振幅と、判定値との比は、正規受信者の許容できる信号対雑音比よりも大きい。
【手続補正４】
【補正対象書類名】明細書
【補正対象項目名】００３６
【補正方法】変更
【補正の内容】
【００３６】
本実施形態では、誤差信号２１は、情報データ１０や多値符号列１２とは異なる乱数に基づいて、誤差信号生成部１１３で生成される。図２は、誤差信号生成部１１３の構成の一例を示すブロック図である。図２において、誤差信号生成部１１３は、制御用乱数生成部１１３１と、誤差信号変換部１１３２とを含む。制御用乱数生成部１１３１は、情報データ１０と同一のビットレートでランダムに変化する値を有する制御用乱数２５を生成する。ここで、制御用乱数２５は、所定の初期値に基づいて生成される疑似乱数、あるいは物理現象を利用して生成される物理乱数のどちらでもよい。誤差信号変換部１１３２は、入力される制御用乱数２５から所定の規則に基づいて、情報データ１０と同一のビットレートでランダムに変化する値を決定し、決定した値を誤差信号２１として出力する。
【手続補正５】
【補正対象書類名】明細書
【補正対象項目名】００３８
【補正方法】変更
【補正の内容】
【００３８】
図３（ｆ）に、このときの多値信号１３の変化を破線で、変動多値信号２３の変化を実線で示す。例えば時刻ｔ２において、多値信号１３のレベルはＬ４であるが、変動多値信号２３のレベルは、多値信号１３のレベルに積算誤差信号２２の値を加算したレベル（Ｌ５）となる。このようにして、加算部１１６は、各タイムスロットにおいて、多値信号１３と積算誤差信号２２とを加算して、変動多値信号２３を生成する。各タイムスロットにおいて、誤差信号２１がランダムに＋Δまたは−Δの値をとるため、積算誤差信号２２の値の取り得る範囲は、ｔ２で＋Δ〜−Δ、ｔ３で＋２Δ〜−２Δ、ｔ４で＋３Δ〜−３Δというように時間を経るに従って拡大する。
【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
装置全体の制御を制御プログラムに基づいて実行する制御手段と、
入力データを暗号化・復号処理するための暗号化・復号処理モジュールと、
前記暗号化・復号処理モジュールで使用する鍵を生成し、前記暗号化・復号処理モジュールへ配送するための鍵管理モジュールと、
前記鍵管理モジュールから配送された鍵を保持し、該鍵が前記暗号化・復号処理モジュールから参照されて暗号化・復号処理に用いられる記憶手段とを備え、
前記制御手段は、前記記憶手段に保持されている鍵を検査し、前記記憶手段に予め定められた鍵が保持されていないと判断した場合には、前記鍵管理モジュールに鍵配送要求を送信し、鍵配送の終了後に前記暗号化・復号処理モジュールに暗号化処理命令を送信し、前記記憶手段に前記予め定められた鍵が保持されていると判断した場合には、前記鍵管理モジュールに鍵配送命令を行うことなく、前記暗号化・復号処理モジュールに暗号化処理命令を送信することを特徴とする通信暗号化処理装置。
【請求項２】
前記記憶手段に保持されている鍵の状態を表わす管理情報を保持する管理情報保持手段を備え、前記制御手段は、前記管理情報保持手段を参照して、前記記憶手段に予め定められた鍵が保持されているか否かを判断することを特徴とする請求項１に記載の通信暗号化処理装置。
【手続補正２】
【補正対象書類名】明細書
【補正対象項目名】００１４
【補正方法】変更
【補正の内容】
【００１４】
本発明に係る通信暗号化処理装置は、装置全体の制御を制御プログラムに基づいて実行する制御手段と、入力データを暗号化・復号処理するための暗号化・復号処理モジュールと、前記暗号化・復号処理モジュールで使用する鍵を生成し、前記暗号化・復号処理モジュールへ配送するための鍵管理モジュールと、前記鍵管理モジュールから配送された鍵を保持し、該鍵が前記暗号化・復号処理モジュールから参照されて暗号化・復号処理に用いられる記憶手段とを備え、前記制御手段は、前記記憶手段に保持されている鍵を検査し、前記記憶手段に予め定められた鍵が保持されていないと判断した場合には、前記鍵管理モジュールに鍵配送要求を送信し、鍵配送の終了後に前記暗号化・復号処理モジュールに暗号化処理命令を送信し、前記記憶手段に前記予め定められた鍵が保持されていると判断した場合には、前記鍵管理モジュールに鍵配送命令を行うことなく、前記暗号化・復号処理モジュールに暗号化処理命令を送信することを特徴とする。
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
入力された映像信号を受け、その階調を必要に応じて変換して階調変換された映像信号を出力する階調変換手段と、
入力された映像信号の各フィールド又は各フレームにおける統計量を検出する統計処理手段と、
前記統計処理手段から出力されるヒストグラムとあらかじめ定めた所定値とから変換特性を決定する目標変換特性決定手段と、
前記ヒストグラムを閾値と比較して２値で表しパターン化する統計処理分析手段と、
前記統計処理分析手段によるヒストグラムのパターンによって最適化調整量を決定し、前記目標変換特性決定手段で決定された変換特性を前記最適化調整量に基づいて補正し、階調制御量を決定する階調制御量決定手段と、
前記階調制御量が１フィールド前又は１フレーム前の階調制御量に対して所定の制限値以下となるよう制限して最終制御量を決定する最終制御量決定手段とを備え、
前記階調変換手段は、前記最終制御量決定手段によって決定された前記最終制御量に基づいて階調変換処理をすることを特徴とする階調改善回路。
【請求項２】
前記入力された映像信号が、赤緑青の３原色信号であることを特徴とする請求項１に記載の階調改善回路。
【請求項３】
前記入力された映像信号が、輝度信号であることを特徴とする請求項１に記載の階調改善回路。
【請求項４】
前記目標変換特性設定手段は、
前記ヒストグラムの出現頻度を階調が最も低い階級から順次高い階級に累積することにより得られた累積頻度が前記所定値以上になる階級を求め、求めた階級により前記目標変換特性を設定することを特徴とすることを特徴とする請求項１に記載の階調改善回路。
【請求項５】
前記目標変換特性設定手段は、
前記ヒストグラムの出現頻度を階調が最も高い階級から順次低い階級に累積することにより得られる累積頻度が前記所定値以上になる階級を求め、求めた階級により前記目標変換特性を設定することを特徴とすることを特徴とする請求項１に記載の階調改善回路。
【請求項６】
更に、入力された映像信号の１フィールド又は１フレーム間の変化の度合いを示すシーンチェンジ情報を出力するシーンチェンジ検出手段を備え、
前記最終制御量決定手段の制限値が、前記シーンチェンジ情報に基づいて変更されることを特徴とする請求項１に記載の階調改善回路。
【請求項７】
最終制御量決定手段は、
前記シーンチェンジ情報が第１の所定値以上の場合は、前記階調制御量の制限をせず、
前記シーンチェンジ情報が前記第１所定値未満で、前記第１の所定数よりも小さい第２の所定数以上の場合は、前記制限値を第１の制限値に設定し、
前記シーンチェンジ情報が前記第２の所定値未満の場合は、前記制限値を、前記第１の制限値よりも小さい第２の制限値に設定する
ことを特徴とする請求項６に記載の階調改善回路。
【請求項８】
請求項１乃至７のいずれかに記載の階調改善回路と、表示手段と、前記階調改善回路の出力に基づいて前記表示手段を駆動する駆動手段とを備えた表示システム。
【手続補正２】
【補正対象書類名】明細書
【補正対象項目名】０００６
【補正方法】変更
【補正の内容】
【０００６】
本発明の階調改善回路は、入力された映像信号を受け、その階調を必要に応じて変換して階調変換された映像信号を出力する階調変換手段と、入力された映像信号の各フィールド又は各フレームにおける統計量を検出する統計処理手段と、前記統計処理手段から出力されるヒストグラムとあらかじめ定めた所定値とから変換特性を決定する目標変換特性決定手段と、前記ヒストグラムを閾値と比較して２値で表しパターン化する統計処理分析手段と、前記統計処理分析手段によるヒストグラムのパターンによって最適化調整量を決定し、前記目標変換特性決定手段で決定された変換特性を前記最適化調整量に基づいて補正し、階調制御量を決定する階調制御量決定手段と、前記階調制御量が１フィールド前又は１フレーム前の階調制御量に対して所定の制限値以下となるよう制限して最終制御量を決定する最終制御量決定手段とを備え、前記階調変換手段は、前記最終制御量決定手段によって決定された前記最終制御量に基づいて階調変換処理をすることを特徴とする。
【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
映像を撮影する撮影手段と、
前記撮影手段を制御する制御手段と、
前記撮影手段で撮影した映像データをクライアントに送信する送信手段と、
前記制御手段による制御を行うための制御データを前記クライアントから受信する受信手段と、
前記クライアントからの前記撮影手段の制御を制限する制限手段と、
前記送信手段が前記クライアントに前記映像データを送信していることを記憶する記憶手段とを備え、
前記記憶手段は、前記送信手段が前記クライアントに前記映像データを送信している間に電源が切断された場合は、前記送信手段が前記クライアントに前記映像データを送信していることを記憶し続け、
前記制限手段は、電源が投入されたときに、前記送信手段が前記クライアントに前記映像データを送信していることが前記記憶手段に記憶されている場合は、前記クライアントからの前記撮影手段の制御を制限することを特徴とする監視カメラシステム。
【手続補正２】
【補正対象書類名】明細書
【補正対象項目名】０００９
【補正方法】変更
【補正の内容】
【０００９】
本発明の監視カメラシステムは、映像を撮影する撮影手段と、前記撮影手段を制御する制御手段と、前記撮影手段で撮影した映像データをクライアントに送信する送信手段と、前記制御手段による制御を行うための制御データを前記クライアントから受信する受信手段と、前記クライアントからの前記撮影手段の制御を制限する制限手段と、前記送信手段が前記クライアントに前記映像データを送信していることを記憶する記憶手段とを備え、前記記憶手段は、前記送信手段が前記クライアントに前記映像データを送信している間に電源が切断された場合は、前記送信手段が前記クライアントに前記映像データを送信していることを記憶し続け、前記制限手段は、電源が投入されたときに、前記送信手段が前記クライアントに前記映像データを送信していることが前記記憶手段に記憶されている場合は、前記クライアントからの前記撮影手段の制御を制限することを特徴とする。
【手続補正３】
【補正対象書類名】明細書
【補正対象項目名】００１０
【補正方法】変更
【補正の内容】
【００１０】
本発明によれば、管理者による電源切断の原因調査が行われないままクライアントからカメラ制御されてしまうことを制限することができる。
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
記録媒体に記録された複数のシーンの動画データを再生する再生手段と、
前記再生手段により再生された動画データを表示装置に出力する表示手段と、
前記再生手段により再生された動画データを用いて、前記動画データの代表画像を示す代表画像データを生成し、前記生成した代表画像データを格納手段に格納する代表画像生成手段と、
通常再生指示に応じて、前記記録媒体から前記動画データを再生するように前記再生手段を制御し、代表画像表示指示に応じて、前記格納手段に格納された代表画像データを用いて前記代表画像の一覧画面を生成し、前記表示装置に出力するように前記表示手段を制御する制御手段とを備え、
前記制御手段は、前記通常再生指示による前記動画データの再生中に新たなシーンを検出すると、前記新たなシーンの動画データを用いて前記新たなシーンの代表画像データを生成して前記格納手段に格納するよう、前記代表画像生成手段を制御することを特徴とする再生装置。
【請求項２】
前記制御手段は、前記新たに検出したシーンの代表画像データが前記格納手段に格納されていた場合には、前記新たなシーンの代表画像データを生成しないように前記代表画像生成手段を制御することを特徴とする請求項１に記載の再生装置。
【請求項３】
前記制御手段は、前記代表画像の一覧画面に表示すべき代表画像データが前記格納手段に格納されていない場合には、前記表示すべき代表画像データに対応するシーンの動画データを再生し、前記再生された動画データを用いて前記表示すべき代表画像データを生成するよう、前記再生手段と前記代表画像生成手段とを制御することを特徴とする請求項１に記載の再生装置。
【請求項４】
前記制御手段は、前記新たなシーンの代表画像データを格納するだけの空き容量が前記格納手段に無い場合には、表示対象の代表画像データ以外の代表画像データを前記格納手段から削除することを特徴とする請求項１に記載の再生装置。
【請求項５】
前記制御手段は、通常再生の停止指示に応じて、前記代表画像の一覧画面を生成して前記表示装置に出力するよう、前記表示手段を制御することを特徴とする請求項１に記載の再生装置。
【請求項６】
記録媒体に記録された複数のシーンの動画データを再生する再生手段と、前記再生手段により再生された動画データを表示装置に出力する表示手段と、前記再生手段により再生された動画データを用いて、前記動画データの代表画像を示す代表画像データを生成し、前記生成した代表画像データを格納手段に格納する代表画像生成手段とを備える再生装置の制御方法であって、
通常再生指示に応じて、前記記録媒体から前記動画データを再生するように前記再生手段を制御し、代表画像表示指示に応じて、前記格納手段に格納された代表画像データを用いて前記代表画像の一覧画面を生成し、前記表示装置に出力するように前記表示手段を制御し、
前記通常再生指示による前記動画データの再生中に新たなシーンを検出すると、前記新たなシーンの動画データを用いて前記新たなシーンの代表画像データを生成して前記格納手段に格納するよう、前記代表画像生成手段を制御することを特徴とする再生装置の制御方法。
【手続補正２】
【補正対象書類名】明細書
【補正対象項目名】発明の名称
【補正方法】変更
【補正の内容】
【発明の名称】再生装置及び再生装置の制御方法
【手続補正３】
【補正対象書類名】明細書
【補正対象項目名】０００１
【補正方法】変更
【補正の内容】
【０００１】
本発明は再生装置及び再生装置の制御方法に関し、特に、記録媒体に記録されている動画の一覧表示を行うために好適な技術に関する。
【手続補正４】
【補正対象書類名】明細書
【補正対象項目名】００１１
【補正方法】変更
【補正の内容】
【００１１】
本発明の再生装置は、記録媒体に記録された複数のシーンの動画データを再生する再生手段と、前記再生手段により再生された動画データを表示装置に出力する表示手段と、前記再生手段により再生された動画データを用いて、前記動画データの代表画像を示す代表画像データを生成し、前記生成した代表画像データを格納手段に格納する代表画像生成手段と、通常再生指示に応じて、前記記録媒体から前記動画データを再生するように前記再生手段を制御し、代表画像表示指示に応じて、前記格納手段に格納された代表画像データを用いて前記代表画像の一覧画面を生成し、前記表示装置に出力するように前記表示手段を制御する制御手段とを備え、前記制御手段は、前記通常再生指示による前記動画データの再生中に新たなシーンを検出すると、前記新たなシーンの動画データを用いて前記新たなシーンの代表画像データを生成して前記格納手段に格納するよう、前記代表画像生成手段を制御することを特徴とする。
【手続補正５】
【補正対象書類名】明細書
【補正対象項目名】００１２
【補正方法】変更
【補正の内容】
【００１２】
本発明の再生装置の制御方法は、記録媒体に記録された複数のシーンの動画データを再生する再生手段と、前記再生手段により再生された動画データを表示装置に出力する表示手段と、前記再生手段により再生された動画データを用いて、前記動画データの代表画像を示す代表画像データを生成し、前記生成した代表画像データを格納手段に格納する代表画像生成手段とを備える再生装置の制御方法であって、通常再生指示に応じて、前記記録媒体から前記動画データを再生するように前記再生手段を制御し、代表画像表示指示に応じて、前記格納手段に格納された代表画像データを用いて前記代表画像の一覧画面を生成し、前記表示装置に出力するように前記表示手段を制御し、前記通常再生指示による前記動画データの再生中に新たなシーンを検出すると、前記新たなシーンの動画データを用いて前記新たなシーンの代表画像データを生成して前記格納手段に格納するよう、前記代表画像生成手段を制御することを特徴とする。
【手続補正６】
【補正対象書類名】明細書
【補正対象項目名】００１３
【補正方法】削除
【補正の内容】
【手続補正書】
【提出日】平成21年7月27日(2009.7.27)
【手続補正１】
【補正対象書類名】明細書
【補正対象項目名】００１８
【補正方法】変更
【補正の内容】
【００１８】
スライド部２は、例えば、ベース部材３と、ベース部材３に対して第１直線方向及び第２直線方向のいずれか一方の方向、例えば、第１直線方向にスライド可能に係合され、第１筐体１１及び第２筐体１２のいずれか一方の筐体、例えば、第２筐体１２に取り付けられる第１スライダー４と、ベース部材３に対して第１直線方向及び第２直線方向のいずれか他方の方向、例えば、第２直線方向にスライド可能に係合され、第１筐体１１及び第２筐体１２のいずれか他方の筐体、例えば、第１筐体１１に取り付けられる第２スライダー５と、ベース部材３と第１スライダー４との間に設けられ、一端部がベース部材３に連結されると共に他端部が第１スライダー４に連結されてベース部材３に対して第１スライダー４を所定の開閉位置から閉成方向又は開成方向にスライド付勢するスライド付勢手段とを備えて構成されていることが好ましい。
【手続補正２】
【補正対象書類名】明細書
【補正対象項目名】００２２
【補正方法】変更
【補正の内容】
【００２２】
第１スライダー４のスライド係合部４ｂの先端部間の長さは、スライド案内部材１３の内面間の長さより若干大きめな寸法で形成されていることが好ましい。第１スライダー４の基部４ａには、第１スライダー４を第２筐体１２に取り付けるための第１取付孔４ｃが例えば２つ設けられている。これら第１取付孔４ｃを介して例えばボスタップ１６を用いることによって第１スライダー４が第２筐体１２に取り付けられる。また、基部４ａには、ストッパーボスタップ１７を取り付けるための第２取付孔４ｄが例えば２つ設けられている。ボスタップ１６及びストッパーボスタップ１７を利用して第１スライダー４を第２筐体１２に取り付けるようにしてもよい。
【手続補正３】
【補正対象書類名】明細書
【補正対象項目名】００４０
【補正方法】変更
【補正の内容】
【００４０】
第２ロック部８５は、閉成状態及び第２開成状態のときに、ベース部材３と第２スライダー５とをがたつくことなくロック状態に保持するものであり、特に限定されず、例えば、第２閉成ロック凸Ａ部８６及び第２開成ロック凸Ａ部８７と第２ロック凸Ｂ部８８とからなる。第２閉成ロック凸Ａ部８６及び第２開成ロック凸Ａ部８７は、特に限定されず、例えば、ベース部材３の一部を円弧状にそれぞれ突出させて形成するようにしてもよい。第２閉成ロック凸Ａ部８６は、ベース部材３の基部３ａの略中央部に位置されている。第２開成ロック凸Ａ部８７は、ベース部材３の基部３ａの中央部と第２スライド方向前方（閉成状態から第２開成状態への方向）側の側部との略中間部に位置されている。第２ロック凸Ｂ部８８は、特に限定されず、第２スライダー５の略中央部を例えばベース部材３の基部３ａ側に円弧状に突出させて形成するようにしてもよい。これら第２閉成ロック凸Ａ部８６及び第２開成ロック凸Ａ部８７と第２ロック凸Ｂ部８８とが、閉成状態及び第２開成状態のときにそれぞれ係合してベース部材３と第２スライダー５とががたつくことなくロック状態に保持されるようになっている。
【手続補正４】
【補正対象書類名】明細書
【補正対象項目名】００４８
【補正方法】変更
【補正の内容】
【００４８】
携帯機器１０を使用する場合であって例えばディスプレイを縦長に使用したい場合には、例えば、第１筐体１１を固定した状態で第２筐体１２を第２直線方向における開成方向にスライドさせる。すると、第２閉成ロック凸Ａ部８６と第２ロック凸Ｂ部８８との係合が解除されて、第１筐体１１に対して第２筐体１２が第２直線方向にスライドする。そして、第１筐体１１と第２筐体１２とが第２開成状態になると、第２開成ロック凸Ａ部８７と第２ロック凸Ｂ部８８とが係合してベース部材３と第２スライダー５とががたつくことなくロック状態に保持される。これにより、第１筐体１１及び第２筐体１２を第２開成状態にがたつくことなくロック状態に保持した状態で、携帯機器１０を使用することができる。
【手続補正５】
【補正対象書類名】明細書
【補正対象項目名】００５０
【補正方法】変更
【補正の内容】
【００５０】
第２筐体１２を元の位置（閉成状態）に戻すには、例えば、第１筐体１１を固定した状態で第２筐体１２を第２直線方向における閉成方向にスライドさせる。すると、第２開成ロック凸Ａ部８７と第２ロック凸Ｂ部８８との係合が解除されて、第１筐体１１に対して第２筐体１２がスライドする。そして、第１筐体１１と第２筐体１２とが閉成状態になると、第２閉成ロック凸Ａ部８６と第２ロック凸Ｂ部８８とが係合してベース部材３と第２スライダー５とががたつくことなくロック状態に保持される。
【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
ネットワーク上でクライアントとサーバとを含み構成される画像処理システムであって、
前記クライアントが、
読み取った帳票画像から帳票の種類を読み取る手段と、
前記帳票の種類を前記サーバに送信する手段と、
前記帳票の種類により異なる領域情報を前記サーバから受信する手段と、
受信された前記領域情報を用いて帳票画像の部分領域を抽出する手段と、
抽出された前記部分領域を前記サーバに送信する手段とを有することを特徴とする画像処理システム。
【請求項２】
前記帳票の種類を読み取る手段とは、文字を認識する手段であることを特徴とする請求項１に記載の画像処理システム。
【請求項３】
前記帳票の種類を読み取る手段とは、バーコードを読み取る手段であることを特徴とする請求項１に記載の画像処理システム。
【請求項４】
前記帳票の種類を読み取る手段とは、電子透かしを読み取る手段であることを特徴とする請求項１に記載の画像処理システム。
【請求項５】
ネットワーク上でクライアントとサーバとを含み構成される画像処理システムであって、
前記クライアントが、
読み取った帳票画像から帳票毎に異なる領域情報を読み取る手段と、
読み取った前記領域情報を用いて前記帳票画像の部分領域を抽出する手段と、
抽出された前記部分領域を前記サーバに送信する手段とを有することを特徴とする画像処理システム。
【請求項６】
前記領域情報を読み取る手段とは、文字を認識する手段であることを特徴とする請求項５に記載の画像処理システム。
【請求項７】
前記領域情報を読み取る手段とは、バーコードを読み取る手段であることを特徴とする請求項５に記載の画像処理システム。
【請求項８】
前記領域情報を読み取る手段とは、電子透かしを読み取る手段であることを特徴とする請求項５に記載の画像処理システム。
【請求項９】
ネットワーク上でサーバと通信可能なクライアントにおける画像処理方法であって、
読み取り手段が、読み取った帳票画像から帳票の種類を読み取る工程と、
送信手段が、前記帳票の種類を前記サーバに送信する工程と、
受信手段が、前記帳票の種類により異なる領域情報を前記サーバから受信する工程と、
抽出手段が、受信された前記領域情報を用いて前記帳票画像の部分領域を抽出する工程と、
前記送信手段が、抽出された前記部分領域を前記サーバに送信する工程とを有することを特徴とする画像処理方法。
【請求項１０】
ネットワーク上でサーバと通信可能なクライアントにおける画像処理方法をコンピュータに実行させるためのプログラムであって、
読み取った帳票画像から帳票の種類を読み取る手順と、
前記帳票の種類を前記サーバに送信する手順と、
前記帳票の種類により異なる領域情報を前記サーバから受信する手順と、
受信された前記領域情報を用いて前記帳票画像の部分領域を抽出する手順と、
抽出された前記部分領域を前記サーバに送信する手順とをコンピュータに実行させるためのプログラム。
【手続補正２】
【補正対象書類名】明細書
【補正対象項目名】００１０
【補正方法】変更
【補正の内容】
【００１０】
本発明の画像処理システムは、ネットワーク上でクライアントとサーバとを含み構成される画像処理システムであって、前記クライアントが、読み取った帳票画像から帳票の種類を読み取る手段と、前記帳票の種類を前記サーバに送信する手段と、前記帳票の種類により異なる領域情報を前記サーバから受信する手段と、受信された前記領域情報を用いて帳票画像の部分領域を抽出する手段と、抽出された前記部分領域を前記サーバに送信する手段とを有することを特徴とする。
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
遮光領域と有効画素領域を備えた撮像素子と、
前記遮光領域における画素値から前記撮像素子のパターンノイズの補正値を求めて記憶手段に記憶させる演算手段と、
前記有効画素領域における画素値から、前記記憶手段に記憶された前記補正値を減算する減算手段とを備え、
前記演算手段は、前記遮光領域における画素値から得られる前記パターンノイズを示す値に第１の係数を掛けた値と前記記憶手段に記憶された補正値に第２の係数を掛けた値とを加算することで求めた新たな補正値を前記記憶手段に記憶させるものであって、前記パターンノイズに変化が生じたと判断した場合には、前記パターンノイズに変化が生じたと判断しない場合に比べて、前記第２の係数に対する前記第１の係数の値を大きく設定することを特徴とする撮像装置。
【請求項２】
前記演算手段は、前記撮像装置の電源が投入された場合に、前記パターンノイズに変化が生じたと判断することを特徴とする請求項１に記載の撮像装置。
【請求項３】
前記撮像素子から出力された画素値に対するアナログゲインを設定する信号増幅手段を有し、
前記演算手段は、前記信号増幅手段によって前記アナログゲインが変更された場合に、前記パターンノイズに変化が生じたと判断することを特徴とする請求項１に記載の撮像装置。
【請求項４】
前記演算手段は、前記第２の係数に対する前記第１の係数の値を、前記パターンノイズに変化が生じたと判断した場合に、前記パターンノイズに変化が生じたと判断しない場合に比べて大きく設定してから、時間が経つにつれて、小さく設定することを特徴とする請求項１乃至３のいずれかに記載の撮像装置。
【請求項５】
前記減算手段は、前記遮光領域における複数の画素値から得られる前記パターンノイズを示す値の平均値と、前記遮光領域における画素値から得られる前記パターンノイズを示す値との差分が閾値以下である場合には、前記有効画素領域における画素値から前記記憶手段に記憶された前記補正値を減算し、前記差分が前記閾値よりも大きい場合には、前記有効画素領域における画素値から前記平均値を減算することを特徴とする請求項１に記載の撮像装置。
【請求項６】
遮光領域と有効画素領域を備えた撮像素子と、
前記遮光領域における画素値から前記撮像素子のパターンノイズの補正値を求めて記憶手段に記憶させる演算手段と、
前記有効画素領域における画素値から、前記記憶手段に記憶された前記補正値を減算する減算手段とを備え、
前記演算手段は、前記遮光領域における画素値から得られる前記パターンノイズを示す値に第１の係数を掛けた値と前記記憶手段に記憶された補正値に第２の係数を掛けた値とを加算することで求めた新たな補正値を前記記憶手段に記憶させるものであって、前記遮光領域における複数の画素値から得られる前記パターンノイズを示す値の平均値と、前記遮光領域における画素値から得られる前記パターンノイズを示す値との差分が大きくなるほど、前記第２の係数に対する前記第１の係数の値を大きく設定することを特徴とする撮像装置。
【請求項７】
遮光領域と有効画素領域を備えた撮像素子と、
前記遮光領域における画素値から前記撮像素子のパターンノイズの補正値を求めて記憶手段に記憶させる演算手段と、
前記有効画素領域における画素値から、前記記憶手段に記憶された前記補正値を減算する減算手段とを備え、
前記演算手段は、前記遮光領域における画素値から得られる前記パターンノイズを示す値に第１の係数を掛けた値と前記記憶手段に記憶された補正値に第２の係数を掛けた値とを加算することで求めた新たな補正値を前記記憶手段に記憶させるものであって、
前記減算手段は、前記遮光領域における複数の画素値から得られる前記パターンノイズを示す値の平均値と、前記遮光領域における画素値から得られる前記パターンノイズを示す値との差分が閾値以下である場合には、前記有効画素領域における画素値から前記記憶手段に記憶された前記補正値を減算し、前記差分が前記閾値よりも大きい場合には、前記有効画素領域における画素値から前記平均値を減算することを特徴とする撮像装置。
【手続補正２】
【補正対象書類名】明細書
【補正対象項目名】００１２
【補正方法】変更
【補正の内容】
【００１２】
上記課題を解決するため、本願請求項１に係る撮像装置は、遮光領域と有効画素領域を備えた撮像素子と、前記遮光領域における画素値から前記撮像素子のパターンノイズの補正値を求めて記憶手段に記憶させる演算手段と、前記有効画素領域における画素値から、前記記憶手段に記憶された前記補正値を減算する減算手段とを備え、前記演算手段は、前記遮光領域における画素値から得られる前記パターンノイズを示す値に第１の係数を掛けた値と前記記憶手段に記憶された補正値に第２の係数を掛けた値とを加算することで求めた新たな補正値を前記記憶手段に記憶させるものであって、前記パターンノイズに変化が生じたと判断した場合には、前記パターンノイズに変化が生じたと判断しない場合に比べて、前記第２の係数に対する前記第１の係数の値を大きく設定することを特徴とする。
同様に、上記課題を解決するため、本願請求項６に係る撮像装置は、遮光領域と有効画素領域を備えた撮像素子と、前記遮光領域における画素値から前記撮像素子のパターンノイズの補正値を求めて記憶手段に記憶させる演算手段と、前記有効画素領域における画素値から、前記記憶手段に記憶された前記補正値を減算する減算手段とを備え、前記演算手段は、前記遮光領域における画素値から得られる前記パターンノイズを示す値に第１の係数を掛けた値と前記記憶手段に記憶された補正値に第２の係数を掛けた値とを加算することで求めた新たな補正値を前記記憶手段に記憶させるものであって、前記遮光領域における複数の画素値から得られる前記パターンノイズを示す値の平均値と、前記遮光領域における画素値から得られる前記パターンノイズを示す値との差分が大きくなるほど、前記第２の係数に対する前記第１の係数の値を大きく設定することを特徴とする。
同様に、上記課題を解決するため、本願請求項７に係る撮像装置は、遮光領域と有効画素領域を備えた撮像素子と、前記遮光領域における画素値から前記撮像素子のパターンノイズの補正値を求めて記憶手段に記憶させる演算手段と、前記有効画素領域における画素値から、前記記憶手段に記憶された前記補正値を減算する減算手段とを備え、前記演算手段は、前記遮光領域における画素値から得られる前記パターンノイズを示す値に第１の係数を掛けた値と前記記憶手段に記憶された補正値に第２の係数を掛けた値とを加算することで求めた新たな補正値を前記記憶手段に記憶させるものであって、前記減算手段は、前記遮光領域における複数の画素値から得られる前記パターンノイズを示す値の平均値と、前記遮光領域における画素値から得られる前記パターンノイズを示す値との差分が閾値以下である場合には、前記有効画素領域における画素値から前記記憶手段に記憶された前記補正値を減算し、前記差分が前記閾値よりも大きい場合には、前記有効画素領域における画素値から前記平均値を減算することを特徴とする。
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
チューナ部と、番組映像を表示する表示部と、複数のチャンネル操作ボタンを有する入力部と、第１制御部とで構成される放送受信装置であって、
前記入力部は、その内部に第２制御部を有し、
当該第２制御部は前記チャンネル操作ボタンに接触があったときに当該チャンネル操作ボタンの接触動作に対応する第１の操作信号を発生させ、前記チャンネル操作ボタンが押し込まれたときに当該チャンネル操作ボタンの押し込み動作に対応する第２の操作信号を発生するように構成され、
前記第１制御部は、前記表示部に番組映像を表示中に前記第１の操作信号を検出したとき、前記第１の操作信号に対応する番組情報を前記表示中の番組映像と共に前記表示部に表示し、前記第１の操作信号を検出した状態から前記第２の操作信号を検出したとき、前記表示中の番組映像を前記第２の操作信号に対応する番組映像に切換えて表示するように制御すること
を特徴とする放送受信装置。
【請求項２】
請求項１において、前記制御部は、番組映像を前記表示部の表示画面全体に表示している状態で前記第１の操作信号を検出したとき、前記表示している番組映像の中に部分的に、当該第１の操作信号に対応する番組情報を表示するように制御することを特徴とする放送受信装置。
【請求項３】
請求項１において、前記制御部は、前記第１の操作信号を検出したとき、当該第１の操作信号に対応する番組情報と共にチャンネルボタン情報を前記表示部に表示するように制御することを特徴とする放送受信装置。
【請求項４】
請求項３において、前記複数のチャンネル操作ボタンは格子状の配列で設置されており、前記チャンネルボタン情報は、前記複数のチャンネル操作ボタンの格子状の配列と同じ格子状の配列のチャンネル画像ボタンを有して前記表示部に表示されると共に、前記第１の操作信号に対応するチャンネル画像ボタン及び前記映像中の番組映像に対応するチャンネル画像ボタンが他のチャンネル画像ボタンと区別して視認可能に前記表示部に表示されることを特徴とする放送受信装置。
【請求項５】
請求項１において、前記チューナ部は異なる放送モードのデジタル放送を抽出する複数のチューナを有しており、前記入力部は、前記複数のチューナに対応する複数の放送モード操作ボタンを有し、前記放送モード操作ボタンに接触があったときに第３の操作信号を発生し、前記放送モード操作ボタンが押し込まれたときに第４の操作信号を発生するように構成され、前記制御部は、前記チューナ部で抽出したデジタル放送の番組映像を表示中に前記第３の操作信号を検出したとき、前記第３の操作信号に対応する放送モード情報を表示中の番組映像と共に前記表示部に表示するように制御することを特徴とする放送受信装置。
【請求項６】
請求項５において、前記制御部は、前記第３の操作信号を検出したとき、前記第３の操作信号に対応する放送モード情報と共に前記複数の放送モード操作ボタンに対応する複数の放送モードボタン情報を前記表示部に表示するように制御することを特徴とする放送受信装置。
【請求項７】
請求項６において、前記複数の放送モード操作ボタンは並べて設けられており、前記放送モードボタン情報は、前記複数の放送モード操作ボタンの並びと同じ並びの放送モード画像ボタンを有して前記表示部に表示されると共に、前記第３の操作信号に対応する放送モード画像ボタンが他の画像ボタンと区別して視認可能に前記表示部に表示されることを特徴とする放送受信装置。
【請求項８】
請求項１において、前記番組映像を記録するレコーダーを備え、前記入力部は、前記レコーダーを操作するモードに設定するためのレコーダーモード操作ボタンを有し、前記レコーダーモード操作ボタンに接触があったときに第５の操作信号を発生し、前記レコーダーモード操作ボタンが押し込まれたときに第６の操作信号を発生するように構成され、前記制御部は、前記番組映像の表示中に前記第５の操作信号を検出したとき、前記表示中の番組映像と共にレコーダー操作情報を前記表示部に表示し、前記第６の操作信号を検出したとき、前記複数のチャンネル操作ボタンにレコーダーを操作するための機能を割り当てると共に、割り当てられた機能に対応するレコーダーボタン情報を前記表示部に表示するように制御することを特徴とする放送受信装置。
【請求項９】
請求項４において、前記番組映像を記録するレコーダーを備え、前記入力部は、前記レコーダーを操作するモードに設定するためのレコーダーモード操作ボタンを有し、前記レコーダーモード操作ボタンに接触があったときに第５の操作信号を発生し、前記レコーダーモード操作ボタンが押し込まれたときに第６の操作信号を発生するように構成され、前記制御部は、前記番組映像の表示中に前記第５の操作信号を検出したときに、前記表示中の番組映像と共に、レコーダーモード画像ボタンが他の画像ボタンと区別して視認可能に前記表示部に表示するように制御することを特徴とする放送受信装置。
【請求項１０】
請求項１において、前記チューナ部は第１のチューナ及び第２のチューナを有し、前記制御部は、前記第１のチューナで受信している番組映像の表示中に前記第１の操作信号を検出したとき、前記第２のチューナで前記第１の操作信号に対応する番組を受信して、前記第１の操作信号に対応する番組情報と共に前記第２のチューナで受信している番組映像の表示を行うように制御することを特徴とする放送受信装置。
【手続補正２】
【補正対象書類名】明細書
【補正対象項目名】００１１
【補正方法】変更
【補正の内容】
【００１１】
前述の目的を達成するために、本発明は、チューナ部と、番組映像を表示する表示部と、複数のチャンネル操作ボタンを有する入力部と、第１制御部とで構成される放送受信装置であって、前記入力部は、その内部に第２制御部を有し、当該第２制御部は前記チャンネル操作ボタンに接触があったときに当該チャンネル操作ボタンの接触動作に対応する第１の操作信号を発生させ、前記チャンネル操作ボタンが押し込まれたときに当該チャンネル操作ボタンの押し込み動作に対応する第２の操作信号を発生するように構成され、前記第１制御部は、前記表示部に番組映像を表示中に前記第１の操作信号を検出したとき、前記第１の操作信号に対応する番組情報を前記表示中の番組映像と共に前記表示部に表示し、前記第１の操作信号を検出した状態から前記第２の操作信号を検出したとき、前記表示中の番組映像を前記第２の操作信号に対応する番組映像に切換えて表示するように制御する構成にしたことにある。